(57)【要約】【課題】洗浄槽の前部に装備されている機器類が損傷されることを回避し、しかも、洗浄槽に対して扉体を装着する前の状態において、洗浄槽を本体ケーシングに対して出退移動させることを良好に行える食器洗浄機を提供する。【解決手段】洗浄槽２が収納位置に位置する状態において洗浄槽挿脱用開口を閉じる扉体が、洗浄槽２の前部に装着された食器洗浄機であって、洗浄槽２と扉体との間に位置されて、洗浄槽２の前部の洗浄槽上下幅方向の全体及び洗浄槽横幅方向の全体を覆う前カバーＭが、洗浄槽２の前部に装着され、洗浄槽２の前部に、洗浄槽２を出退移動するための仮把手部２０ｃが、前カバーＭの後面側に位置させる状態で設けられ、前カバーＭに、その前カバーＭの前方側から手指を挿通して、仮把手部２０ｃに接触可能な操作用開口３６が設けられている。【選択図】図２０
2014171676.tif 000002
【特許請求の範囲】
【請求項１】
洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、
前記洗浄槽が前記収納位置に位置する状態において前記洗浄槽挿脱用開口を閉じる扉体が、前記洗浄槽の前部に装着された食器洗浄機であって、
前記洗浄槽と前記扉体との間に位置されて、前記洗浄槽の前部の洗浄槽上下幅方向の全体及び洗浄槽横幅方向の全体を覆う前カバーが、前記洗浄槽の前部に装着され、
前記洗浄槽の前部に、前記洗浄槽を出退移動するための仮把手部が、前記前カバーの後面側に位置させる状態で設けられ、
前記前カバーに、その前カバーの前方側から手指を挿通して、前記仮把手部に接触可能な操作用開口が設けられている食器洗浄機。
【請求項２】
前記仮把手部が、前記洗浄槽の前部における前記洗浄槽上下幅方向の上端側の箇所に設けられている請求項１に記載の食器洗浄機。
【請求項３】
前記仮把手部が、洗浄槽前後幅方向に沿って伸び、且つ、その洗浄槽前後幅方向の前方側の前端部に、前記洗浄槽上下幅方向の下方に屈曲する下向き曲がり部を備えた形状に構成されている請求項２に記載の食器洗浄機。
【請求項４】
前記操作用開口が、正面視で、前記洗浄槽上下幅方向の上下の開口縁部分が前記洗浄槽横幅方向に沿う概略四角形状にて、前記洗浄槽上下幅方向において、前記仮把手部の下方に位置する状態で、又は、前記仮把手部を前記操作用開口内の上方側の部分に臨ませる状態で、前記前カバーに設けられ、
前記操作用開口の開口縁における前記洗浄槽横幅方向の両側方夫々の開口縁部分から夫々後方に伸びる左側規制面、右側規制面、及び、前記開口縁における前記洗浄槽上下幅方向の下方の開口縁部分から後方に伸びる下側規制面を形成する規制面形成体が設けられている請求項３に記載の食器洗浄機。
【請求項５】
前記規制面形成体が、前記左側規制面の後端と前記右側規制面の後端と前記下側規制面の後端とに跨る後側規制面を形成するように構成されている請求項４に記載の食器洗浄機。
【請求項６】
前記扉体が、その後面に取り付けた係合体を前記洗浄槽の前部に取り付けた係合部に係合させた状態で、前記洗浄槽の前部に装着されるように構成され、
前記仮把手部が、前記係合部を構成する部材に一体的に備えられている請求項１〜５のいずれか１項に記載の食器洗浄機。
【発明の詳細な説明】
【技術分野】
【０００１】
本発明は、洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、前記洗浄槽が前記収納位置に位置する状態において前記洗浄槽挿脱用開口を閉じる扉体が、前記洗浄槽の前部に装着された食器洗浄機に関する。
【背景技術】
【０００２】
かかる食器洗浄機は、通常、キッチンカウンタの下方に、引出し式の収納部等の複数の収納部と並ぶ状態で設置されて、皿や茶碗等の食器類を洗浄するのに使用されることになる。
つまり、洗浄槽を本体ケーシングから引き出した引出位置に位置させて、皿や茶碗等の食器類を洗浄槽の内部に収容し、その後、洗浄槽を本体ケーシングの内部の収納位置に位置させて、洗浄運転を行い、洗浄運転が終了した後においては、洗浄槽を本体ケーシングから引き出した引出位置に位置させて、皿や茶碗等の食器類を洗浄槽から取出すことになる。
【０００３】
そして、洗浄槽が収納位置に位置する状態において洗浄槽挿脱用開口を閉じる扉体が、洗浄槽の前部に装着されている。
この扉体の表面は、通常、キッチンカウンタの下方に配置される複数の収納部や固定パネル等の設置体の表面と、同一の色調で、同一の図柄となるように構成されて、色合い面において外観を美麗な状態にするように意図されている。（例えば、特許文献１参照。）。
【先行技術文献】
【特許文献】
【０００４】
【特許文献１】特開２００７−９７８０４号公報
【発明の概要】
【発明が解決しようとする課題】
【０００５】
ところで、扉体の表面を、システムキッチンのキッチンカウンタの下方に配置される複数の収納部や固定パネル等の設置体の表面と、同一の色調で、同一の図柄となるように構成する場合においては、食器洗浄機を設置する施工現場において、洗浄槽に対して扉体を装着することになる。
【０００６】
すなわち、食器洗浄機の製造会社にて製造された食器洗浄機が、扉体を装着しない状態で食器洗浄機を設置する施工現場に搬送され、システムキッチンの製造会社等によって製作された扉体が、別途、食器洗浄機を設置する施工現場に搬送されることになり、施工現場において、洗浄槽に対して扉体を装着することになる。そして、その扉体には、洗浄槽を出退移動するための把手部が設けられている。
【０００７】
つまり、システムキッチンの購入者が、キッチンカウンタの下方に配置される複数の収納部や固定パネル等の設置体の表面の色調や図柄を選ぶと、システムキッチンの製造会社等によって、設置体の表面の色調や図柄と同一となる表面を備える扉体が施工現場に用意されることになる。
そして、施工者が、施工現場において、扉体を装着していない状態で、食器洗浄機をキッチンカウンタの下方に設置して、洗浄槽を収納位置から引き出したり収納位置に押し込んだりして、各種調整を行った後、扉体を洗浄槽の前部に装着することになる。
【０００８】
このように施工者が、施工現場にて、洗浄槽に対して扉体を装着する形態の場合には、食器洗浄機の製造会社にて製造された食器洗浄機が、洗浄槽の前部に扉体を装着しないで施工現場に搬送されていると、施工者が洗浄槽の前部に装備されている機器類に触って損傷させる等、洗浄槽の前部に装備されている機器類が損傷される虞があり、改善が望まれるものであった。
しかも、洗浄槽に対して扉体を装着する以前においても、食器洗浄機の本体ケーシングを組み付ける際等において、洗浄槽を本体ケーシングに対して出退移動させる場合があるが、このような場合において、洗浄槽の前部が露出していると、洗浄槽の前部に装備されている機器類を把持しながら、洗浄槽を出退移動させる虞があり、この点からも改善が望まれるものであった。
【０００９】
本発明は、かかる実情に鑑みてなされたものであり、その目的は、洗浄槽の前部に装備されている機器類が損傷されることを回避し、しかも、洗浄槽に対して扉体を装着する前の状態において、洗浄槽を本体ケーシングに対して出退移動させることを良好に行える食器洗浄機を提供することにある。
【課題を解決するための手段】
【００１０】
本発明に係る食器洗浄機は、洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、前記洗浄槽が前記収納位置に位置する状態において前記洗浄槽挿脱用開口を閉じる扉体が、前記洗浄槽の前部に装着されたものであって、その第１特徴構成は、
前記洗浄槽と前記扉体との間に位置されて、前記洗浄槽の前部の洗浄槽上下幅方向の全体及び洗浄槽横幅方向の全体を覆う前カバーが、前記洗浄槽の前部に装着され、
前記洗浄槽の前部に、前記洗浄槽を出退移動するための仮把手部が、前記前カバーの後面側に位置させる状態で設けられ、
前記前カバーに、その前カバーの前方側から手指を挿通して、前記仮把手部に接触可能な操作用開口が設けられている点にある。
【００１１】
上記特徴構成によれば、洗浄槽の前部が洗浄槽上下幅方向の全体及び洗浄槽横幅方向の全体にわたって前カバーによって覆われているので、洗浄槽の前部に扉体を装着していない状態で施工作業をする間中、洗浄槽の前部に装備された機器類が露呈しないようにすることができる。
そして、洗浄槽を引き出し操作するときは、前カバーの前方側から操作用開口に手指を挿通して、指先等を仮把手部に接触させてその仮把手部を引っ張ることにより、洗浄槽を引き出すことができる。また、洗浄槽を押し込み操作するときは、前カバーの前方側から操作用開口に手指を挿通して、指先等を仮把手部に接触させてその仮把手部を押すことにより、洗浄槽を押し込むことができる。
つまり、扉体を装着しない状態での洗浄槽の出退移動操作は、洗浄槽の前部に取り付けられた仮把手部を用いて行うことができるので、洗浄槽の出退移動操作を行い易い。
従って、洗浄槽の前部に装備されている機器類が損傷されることを回避し、しかも、洗浄槽に対して扉体を装着する前の状態において、洗浄槽を本体ケーシングに対して出退移動させることを良好に行える食器洗浄機を提供することができる。
【００１２】
第２特徴構成は、上記第１特徴構成に加えて、
前記仮把手部が、前記洗浄槽の前部における前記洗浄槽上下幅方向の上端側の箇所に設けられている点にある。
【００１３】
即ち、通常、キッチンカウンタは、凡そ成人の腰の高さに位置するので、そのようなキッチンカウンタの下方に食器洗浄機が設置されると、食器洗浄機は、成人の腰の高さよりもやや下方に位置することになる。
上記特徴構成によれば、仮把手部が洗浄槽の前部における洗浄槽上下幅方向の上端側の箇所に設けられているので、扉体を装着しない状態で、洗浄槽を出退移動操作するに当たって、手指を前カバーの前方側から操作用開口に挿通して仮把手部に接触させる操作が、一層容易なものとなる。
従って、洗浄槽の前部に装備されている機器類が損傷されることを回避しながらも、扉体を装着する前の状態での洗浄槽の出退移動操作を一層良好に行えるようにすることができる。
【００１４】
第３特徴構成は、上記第２特徴構成に加えて、
前記仮把手部が、洗浄槽前後幅方向に沿って伸び、且つ、その洗浄槽前後幅方向の前方側の前端部に、前記洗浄槽上下幅方向の下方に屈曲する下向き曲がり部を備えた形状に構成されている点にある。
【００１５】
上記特徴構成によれば、手のひらを上向きにして、手指を前カバーの前方側から操作用開口に挿通すると、指先を容易に仮把手部の前端部の下向き曲がり部に引っ掛けることができる。そして、指先を下向き曲がり部に引っ掛けた状態で、手を引くことにより、扉体を装着しない状態で、洗浄槽を容易に引き出すことができる。
従って、洗浄槽の前部に装備されている機器類が損傷されることを回避しながらも、扉体を装着する前の状態での洗浄槽の出退移動操作を一段と良好に行えるようにすることができる。
【００１６】
第４特徴構成は、上記第３特徴構成に加えて、
前記操作用開口が、正面視で、前記洗浄槽上下幅方向の上下の開口縁部分が前記洗浄槽横幅方向に沿う概略四角形状にて、前記洗浄槽上下幅方向において、前記仮把手部の下方に位置する状態で、又は、前記仮把手部を前記操作用開口内の上方側の部分に臨ませる状態で、前記前カバーに設けられ、
前記操作用開口の開口縁における前記洗浄槽横幅方向の両側方夫々の開口縁部分から夫々後方に伸びる左側規制面、右側規制面、及び、前記開口縁における前記洗浄槽上下幅方向の下方の開口縁部分から後方に伸びる下側規制面を形成する規制面形成体が設けられている点にある。
【００１７】
上記特徴構成によれば、手のひらを上向きにして、手指を前カバーの前方側から操作用開口に挿通する際に、指先が操作用開口の開口縁のうちの左方の開口縁部分や右方の開口縁部分や下方の開口縁部分に引っ掛かるのが、左側規制面や右側規制面や下側規制面により規制される。
つまり、前部に扉体を装着しない状態で洗浄槽を出退移動操作する際に、誤って手指を前カバーの操作用開口の開口縁部分に引っ掛けた状態で、洗浄槽を引っ張ったり押し込んだりすると、前カバーが破損する不都合が起こる虞があるが、上記特徴構成のように規制面形成体を設けることにより、そのような不都合が起こるのを回避することができるのである。
従って、洗浄槽の前部に前カバーを装着して、洗浄槽の前部に装備されている機器類が損傷されることを回避しながらも、扉体を装着する前に洗浄槽を出退移動操作する際に、前カバーを破損するのを防止することができる。
【００１８】
第５特徴構成は、上記第４特徴構成に加えて、
前記規制面形成体が、前記左側規制面の後端と前記右側規制面の後端と前記下側規制面の後端とに跨る後側規制面を形成するように構成されている点にある。
【００１９】
上記特徴構成によれば、手のひらを上向きにして、手指を前カバーの前方側から操作用開口に挿通する際に、指先が洗浄槽の前部に装備された機器類に触れるのが、後側規制面により規制される。
つまり、前部に扉体を装着しない状態で洗浄槽を出退移動操作する際に、指先が洗浄槽の前部に装備された機器類に触れると、その機器類を破損する不都合が起こる虞があるが、上記特徴構成のように後側規制面を設けることにより、そのような不都合が起こるのを回避することができるのである。
従って、洗浄槽の前部に前カバーを装着して、洗浄槽の前部に装備されている機器類が損傷されることを回避しながらも、扉体を装着する前に洗浄槽を出退移動操作する際に、指先が洗浄槽の前部に装備された機器類に触れるのを防止することができる。
【００２０】
第６特徴構成は、上記第１〜第５特徴構成のいずれか１つに加えて、
前記扉体が、その後面に取り付けた係合体を前記洗浄槽の前部に取り付けた係合部に係合させた状態で、前記洗浄槽の前部に装着されるように構成され、
前記仮把手部が、前記係合部を構成する部材に一体的に備えられている点にある。
【００２１】
上記特徴構成によれば、扉体は、その後面に取り付けた係合体を洗浄槽の前部に取り付けた係合部に係合させることにより、洗浄槽の前部に頑丈に装着する。
そのような係合部は、本来、洗浄槽に頑丈に取り付けられるものであるので、仮把手部を、係合部を構成する部材（以下、係合部構成部材と記載する場合がある）に一体的に備えるように構成することにより、仮把手部を洗浄槽に頑丈に取り付けることができる。
【００２２】
そして、係合部は洗浄槽に比べてかなり小型であるので、洗浄槽に仮把手部を設けるにしても、仮把手部を係合部構成部材に一体的に備えるように構成すると、形状の小さい係合部構成部材を改変するだけの簡単な改変で済む。
一方、洗浄槽は形状が大きく、通常、樹脂成型により構成されるものであるので、仮把手部を洗浄槽そのものに設けるように構成する場合は、洗浄槽成型用の大型で複雑な構造の金型を改変する必要があり、大がかりな改変となる。
つまり、洗浄槽に仮把手部を設けるに当たって、その仮把手部を係合部構成部材に一体的に備えるように構成することにより、仮把手部を洗浄槽に頑丈に取り付けるという本来の条件を満たしながらも、比較的小型な係合部構成部材を改変するという簡単な改変で済むのである。
従って、上記第１から第５特徴構成のいずれか１つによる作用効果を奏する食器洗浄機を、低廉化を図りながら提供することができる。
【図面の簡単な説明】
【００２３】
【図１】食器洗浄機の斜視図
【図２】扉体の装着部の一部切欠側面図
【図３】洗浄槽の斜視図
【図４】洗浄槽の正面図
【図５】図４におけるＶ−Ｖ線矢視図
【図６】図２におけるＶＩ−ＶＩ線矢視図
【図７】固定受け金具の斜視図
【図８】洗浄槽側レール部材の斜視図
【図９】洗浄槽に前カバーを装着した状態の斜視図
【図１０】扉体に係合体を装着した状態の斜視図
【図１１】係合体の正面図
【図１２】図１１におけるＸＩＩ−ＸＩＩ線矢視図
【図１３】係合体の下方側係合作用部を示す斜視図
【図１４】図１１におけるＸＩＶ−ＸＩＶ線矢視図
【図１５】上方側係合部分の側面図
【図１６】下方側係合部分の側面図
【図１７】前後位置調節用回転体の斜視図
【図１８】係合体と係合部との連結構成を示す斜視図
【図１９】仮把手部及び仮把手部挿通開口を示す扉体を装着しない状態での食器洗浄機の要部の斜視図
【図２０】図１９におけるＸＸ−ＸＸ線矢視図
【図２１】前カバーの要部の前面側からの斜視図
【図２２】前カバーの要部の後面側からの矢視図
【図２３】システムキッチンの斜視図
【図２４】食器洗浄機をキッチンカウンタに装備した状態の側面図
【発明を実施するための形態】
【００２４】
以下、図面に基づいて、本発明の実施の形態を説明する。
（食器洗浄機の構成）
図１に示すように、洗浄槽挿脱用開口Ａが前部に形成された直方体状の本体ケーシング１が設けられ、平面視形状が四角状でかつ上部が開口された洗浄槽２が、本体ケーシング１の内部の洗浄運転用の収納位置と本体ケーシング１の前方に引き出された引出位置とにわたって洗浄槽挿脱用開口Ａを通して出退移動自在な状態で、本体ケーシング１に支持されて、引出し式の食器洗浄機Ｓが構成されている。
【００２５】
すなわち、引出し式の食器洗浄機Ｓは、洗浄槽２を本体ケーシング１から引き出した引出し状態において、食器類等の洗浄対象物を洗浄槽２の内部に収納し、洗浄槽２を本体ケーシング１の収納位置に収納した収納状態において、洗浄運転を行うように構成されている。
【００２６】
尚、洗浄槽２の下方には、洗浄ポンプ等の機器類が、洗浄槽２に組付けられた状態で配設され、洗浄槽２の内部には、洗浄ノズルや加熱用ヒータ等が配設され、また、洗浄槽２の内部には、食器類等の洗浄対象物を収納する洗浄カゴが、取出し自在に収納されることになるが、それらの構成は周知であるので、本実施形態においては説明を省略する。
【００２７】
また、洗浄槽２を本体ケーシング１に収納した状態において洗浄槽２の上面部を閉塞する内蓋部が、洗浄槽２を本体ケーシング１から引き出した引出し状態では洗浄槽２の上面部を開口するように、洗浄槽２の引き出し及び収納に伴って自動的に開閉される形態で設けられることになるが、その構成は周知であるので、本実施形態においては説明を省略する。
【００２８】
図１及び図２に示すように、洗浄槽２の前部には、その洗浄槽２が収納位置に位置する状態において洗浄槽挿脱用開口Ａを閉じる扉体３が装着され、その扉体３の前部に把手部４が設けられている。また、図２及び図９に示すように、洗浄槽２と扉体３との間に位置されて、洗浄槽２の前部の上下幅方向の全体及び横幅方向の全体を覆う前カバーＭが、洗浄槽２の前部に装着される。
本実施形態の扉体３は、洗浄槽２の前部の洗浄槽上下幅方向の全体及び洗浄槽横幅方向の全体を覆うように構成され、扉体３には、出退移動操作用の把手部４が設けられている。
具体的には、扉体３は、その横幅が本体ケーシング１の横幅よりも少し大きく、且つ、その上下幅が本体ケーシング１の上下幅と同じ大きさとなるように構成されている。
【００２９】
図２３及び図２４に示すように、本実施形態の食器洗浄機Ｓは、システムキッチンＫのキッチンカウンタ８の下方に、引出し式の収納部や固定パネル等の設置体Ｄと並べる状態で設置されるものであって、扉体３の表面が、設置体Ｄの前面部の表面と、同一の色調で、同一の図柄となるように構成されている。
尚、図２４においては、食器洗浄機Ｓの下方に、設置体Ｄとして、引出し式の収納部が配置される場合を例示する。
【００３０】
そして、食器洗浄機Ｓの扉体３は、食器洗浄機ＳをシステムキッチンＫに設置する際に、その施工現場にて、洗浄槽２の前部に装着されるものである。そこで、図９に示すように、食器洗浄機Ｓの洗浄槽２の前部には、上述のように前カバーＭが装着されて、洗浄槽２の前部に装備した機器類を覆うように構成されている。
また、図３及び図４に示すように、洗浄槽２の前部には、扉体３を装着しない状態において、洗浄槽２を出退移動するための仮把手部２０ｃが備えられている。
さらに、洗浄槽２の前部に対する扉体３の装着位置を、洗浄槽上下幅方向及び洗浄槽横幅方向において調整可能な扉体装着位置調整機構Ｐ（図１０及び図１８参照）が設けられている。
【００３１】
ちなみに、図２に示すように、洗浄槽２の前端部の上方箇所、つまり、扉体３の上部側部分の後方側箇所には、洗浄運転に関する種々の情報を指令する操作パネルＢが装備されており、洗浄槽２を引出し状態にして、操作パネルＢにて洗浄運転に関する情報を入力し、その後、洗浄槽２を収納状態することによって、運転制御部（図示せず）が、操作パネルＢにて入力された情報に基づいて、洗浄ポンプや加熱用ヒータ等を作動させて洗浄運転を実行するように構成されている。
【００３２】
尚、図示はしないが、洗浄槽２を収納状態にロックするロック装置や、洗浄槽２が収納状態であること検出する収納検出装置が装備されおり、上記運転制御部が、洗浄槽２が収納状態であることを確認しながら、洗浄運転を実行するように構成されている。
【００３３】
図１に示すように、洗浄槽２を本体ケーシング１に対して移動自在に支持する左右一対のスライド式レール機構Ｌが、洗浄槽２の底部の左右両端部に対応する箇所に設けられており、このスライド式レール機構Ｌを介して、洗浄槽２が収納位置と引出位置とにわたって移動自在な状態で本体ケーシング１に支持されている。ちなみに、引出位置においては、洗浄槽２の大部分を本体ケーシング１の外方に露出させる状態に引き出すことができるように構成されている。
【００３４】
つまり、図３〜図５及び図８に示すように、スライド式レール機構Ｌを構成する洗浄槽側レール部材６に、長尺状の洗浄槽接続部材７が装備され、この洗浄槽接続部材７に、洗浄槽２の底部の左右両端部が取付けられている。
尚、洗浄槽側レール部材６は、本体ケーシング１に設けた本体ケーシング側レール部材（図示せず）に対して、スライド自在に係合されることになる。
【００３５】
ちなみに、図３及び図４に示すように、洗浄槽２の左右は、それぞれ、側壁２Ｓにて覆われ、各側壁２Ｓの下端部には、スライド式レール機構Ｌを覆う下方張出部２ｄが延設され、また、図３及び図６に示すように、洗浄槽２の左右の側壁２Ｓの前端部には、洗浄槽２の前面部に設けた機器類を覆う前方張出部２ｆが延設されている。
尚、各側壁２Ｓは、下方張出部２ｄと前方張出部２ｆとを一連に連なる板状で備える形態に、樹脂成型（例えば、ＰＰ樹脂）にて形成されている。
【００３６】
（扉体の装着構成）
上述したように、食器洗浄機Ｓの扉体３は、食器洗浄機ＳをシステムキッチンＫに設置する際に、その施工現場にて、洗浄槽２の前部に装着されるものであり、以下、扉体３を洗浄槽２の前部に装着する構成について説明する。
【００３７】
図１０に示すように、扉体３の後面には、係合体Ｅが取付けられ、そして、洗浄槽２の前部には、図３〜図５に示すように、係合部Ｆが設けられている。
従って、扉体３の後面に取付けた係合体Ｅが、洗浄槽２の前部に設けた係合部Ｆに係合された状態で、扉体３が洗浄槽２の前部に装着されることになる。
【００３８】
係合体Ｅは、上方側の左右一対の係合作用部Ｅｕ、及び、下方側の左右一対の係合作用部Ｅｓを備えるように構成され、そして、係合部Ｆが、係合体Ｅに合わせて、上方側の左右一対の係合作用部Ｅｕの夫々が各別に係合する上方側の左右一対の係合部分Ｆｕ、及び、下方側の左右一対の係合作用部Ｅｓの夫々が各別に係合する下方側の左右一対の係合部分Ｆｓを備えるように構成されている。
【００３９】
つまり、図１８に示すように、上方側の左方の係合作用部Ｅｕと上方側の左方の係合部分Ｆｕとが係合する上方側左方連結部ＵＬ、上方側の右方の係合作用部Ｅｕと上方側の右方の係合部分Ｆｕとが係合する上方側右方連結部ＵＲ、下方側の左方の係合作用部Ｅｓと下方側の左方の係合部分Ｆｓとが係合する下方側左方連結部ＳＬ、及び、下方側の右方の係合作用部Ｅｓと下方側の右方の係合部分Ｆｓとが係合する下方側右方連結部ＳＲの夫々が設けられている。
【００４０】
そして、後述するように、上方側左方連結部ＵＬ、上方側右方連結部ＵＲ、下方側左方連結部ＳＬ及び下方側右方連結部ＳＲの夫々が、係合作用部Ｅｕ、Ｅｓと係合部分Ｆｕ、Ｆｓとを洗浄槽前後幅方向での相対移動を阻止した状態に係合させ、かつ、係合部分Ｆｕ、Ｆｓに対する係合作用部Ｅｕ、Ｅｓの洗浄槽前後幅方向での位置を変更調節自在に構成されている。
【００４１】
係合体Ｅについて説明を加えると、本実施形態においては、図１０に示すように、上方側の左方の係合作用部Ｅｕ及び下方側の左方の係合作用部Ｅｓを上下両端に備える金属製の左方側係合体形成体１０Ｌ、及び、上方側の右方の係合作用部Ｅｕ及び下方側の右方の係合作用部Ｅｓを上下両端に備える金属製の右方側係合体形成体１０Ｒが、扉体３の後面に設けられている。
【００４２】
そして、左方側係合体形成体１０Ｌを扉体３に取付ける左方取付け機構ＪＬ及び右方側係合体形成体１０Ｒを扉体３に取付ける右方取付け機構ＪＲの夫々が設けられて、左方側係合体形成体１０Ｌが、左方取付け機構ＪＬによって扉体３に取付けられ、右方側係合体形成体１０Ｒが、右方取付け機構ＪＲによって扉体３に取付けられている。
本実施形態においては、左方取付け機構ＪＬが、左方側係合体形成体１０Ｌにおける上下の２箇所の夫々に設けられ、また、右方取付け機構ＪＲが、右方側係合体形成体１０Ｒにおける上下の２箇所の夫々に設けられている。
【００４３】
左方取付け機構ＪＬ及び右方取付け機構ＪＲの夫々は、扉体３の洗浄槽横幅方向の位置を調節自在に構成されるものであって、具体的には、左方側係合体形成体１０Ｌ及び右方側係合体形成体１０Ｒを、扉体３の後面にビス１１ｄにて止着される支持金具１１に対して、扉体３の横幅方向（洗浄槽横幅方向）に沿って位置調節自在な状態で取付けるように構成されている。
【００４４】
左方側係合体形成体１０Ｌ及び右方側係合体形成体１０Ｒは、左右対称に構成されるものであり、また、左方取付け機構ＪＬ及び右方取付け機構ＪＲは、同様に構成されるものであるため、以下、右方側係合体形成体１０Ｒ及び右方取付け機構ＪＲを代表にして、その構成について説明し、左方側係合体形成体１０Ｌ及び左方取付け機構ＪＬについては、必要に応じて適宜説明を加える。
【００４５】
図１０及び図１１に示すように、右方側係合体形成体１０Ｒは、扉体３の上下幅方向（洗浄槽上下幅方向）に伸びる断面形状Ｌ型の軸状部１０ａの上下両端に、上方側の係合作用部Ｅｕを形成する上方板状部１０ｕ、及び、下方側の係合作用部Ｅｓを形成する下方板状部１０ｓを備えるものであって、扉体３の横幅方向視において、Ｕ字状に構成されている。
つまり、断面形状Ｌ型の軸状部１０ａは、その長手方向視にて、一辺側部分を扉体３の後面に当て付けた状態に装着されるものであって、軸状部１０ａにおける扉体３から起立姿勢となる他辺側部分に、上方板状部１０ｕ及び下方板状部１０ｓが連設されている。
【００４６】
軸状部１０ａにおける上下の支持金具１１に対応する箇所には、扉体３の横幅方向に伸びる二股状の中間板状部１０ｍが、軸状部１０ａにおける扉体３の後面に当て付けられる一辺側部分から連なる状態で形成され、それら中間板状部１０ｍが、支持金具１１に対して、扉体３の横幅方向に移動自在にかつ扉体３の上下幅方向での移動を規制された状態に係合するように構成されている。
つまり、支持金具１１は、扉体３の厚さ方向視（前後幅方向視）にて、帯板状に構成されるものであって、支持金具１１の上下の縁部に対して、中間板状部１０ｍの内縁部が摺接する状態となるように構成されている。
【００４７】
軸状部１０ａにおける上下の支持金具１１に対応する箇所には、扉体３の横幅方向に伸びる逆Ｕ字状の連結片１０ｒが、軸状部１０ａにおける扉体３から起立姿勢となる他辺側部分に連なる状態で形成されている（図１２及び図１３参照）。
【００４８】
支持金具１１は、図１２及び図１３に明示するように、扉体３の後面にビス１１ｄにて止着される板部分１１ａと、逆Ｕ字状の接続部分１１ｂとを、扉体３の横幅方向に並ぶ状態で備える形態に構成されている。
そして、接続部分１１ｂには、接続体１２が装備され、接続部分１１ｂにおける上壁に相当する部分には、扉体３の横幅方向に沿う長孔１３が形成されている。
【００４９】
接続体１２は、図１２〜図１４に示すように、支持金具１１における接続部分１１ｂと扉体３の後面との間に配置される本体部分１２ａと、本体部分１２ａから上方に突出する突出部分１２ｂとを備える状態に形成されている。
本体部分１２ａが、支持金具１１の接続部分１１ｂに形成した長孔１３の横幅よりも大きな横幅を有する状態に形成され、そして、突出部分１２ｂが、支持金具１１の接続部分１１ｂに形成した長孔１３の横幅よりも小さな横幅となる状態に形成されて、長孔１３を通して、接続部分１１ｂの外方に突出するように構成されている。
つまり、接続体１２は、扉体３の横幅方向に移動自在な状態で、支持金具１１の接続部分１１ｂに装着されている。
【００５０】
接続体１２における突出部分１２ｂが、扉体３の横幅方向に沿って二股状となるように形成されている。
そして、右方側係合体形成体１０Ｒにおける連結片１０ｒの先端が、接続体１２に係合するように構成され、かつ、連結片１０ｒを貫通する頭付ボルト１４が、接続体１２に螺合する状態で設けられている。
【００５１】
すなわち、頭付ボルト１４は、連結片１０ｒと接続体１２とに亘って架設されることになり、締め込みに伴って、接続体１２の本体部分１２ａを支持金具１１の接続部分１１ｂに圧接させて、接続体１２の支持金具１１に対する移動を固定し、かつ、連結片１０ｒを接続体１２に向けて押圧して、接続体１２に対する連結片１０ｒの離脱を阻止する状態に固定するように構成されている。
したがって、頭付ボルト１４を操作しながら、右方側係合体形成体１０Ｒの扉体３に対する横幅方向での位置を調節できるように構成されており、左方側係合体形成体１０Ｌも同様である。
【００５２】
つまり、頭付ボルト１４を緩めた状態において、接続体１２の支持金具１１に対する扉体３の横幅方向での位置を変更しながら、右方側係合体形成体１０Ｒの扉体３に対する横幅方向での位置を変更することができ、かつ、頭付ボルト１４を締め付けた状態において、接続体１２の支持金具１１に対する扉体３の横幅方向での移動を固定することによって、右方側係合体形成体１０Ｒの扉体３に対する横幅方向での移動を固定することができるように構成され、左方側係合体形成体１０Ｌについても同様に構成されている。
【００５３】
以上の説明から明らかな如く、本実施形態においては、右方取付け機構ＪＲが、扉体３に固定した支持金具１１に対して洗浄槽横幅方向に移動自在に且つ扉体３の後面から離間する方向への移動を阻止された状態に支持された接続体１２に対して、右方側係合体形成体１０Ｒから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００５４】
また、左方取付け機構ＪＬが、右方取付け機構ＪＲと同様に、扉体３に固定した支持金具１１に対して洗浄槽横幅方向に移動自在に且つ扉体３の後面から離間する方向への移動を阻止された状態に支持された接続体１２に対して、左方側係合体形成体１０Ｌから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００５５】
そして、本実施形態においては、左方取付け機構ＪＬが、左方側係合体形成体１０Ｌの上下２箇所に対応して設けられるものであるから、左方側係合体形成体１０Ｌの扉体３に対する横幅方向での位置を調節する際には、上下２箇所の頭付ボルト１４を操作しながら行うことになる。
同様に、右方取付け機構ＪＲが、右方側係合体形成体１０Ｒの上下２箇所に対応して設けられるものであるから、右方側係合体形成体１０Ｒの扉体３に対する横幅方向での位置を調節する際には、上下２箇所の頭付ボルト１４を操作しながら行うことになる。
【００５６】
尚、扉体３を洗浄槽２の前部に装着した状態においては、左方側係合体形成体１０Ｌや右方側係合体形成体１０Ｒは、洗浄槽２の前部の係合部Ｆに支持された状態になるものであるから、扉体３を洗浄槽２の前部に装着した状態においては、左方側係合体形成体１０Ｌや右方側係合体形成体１０Ｒに対して、扉体３に取付けた支持金具１１の洗浄槽横幅方向での位置が調節されることになり、この調節によって、洗浄槽２に対する扉体３の洗浄槽横幅方向での位置が調節されることになる。
【００５７】
ちなみに、扉体３を洗浄槽２に装着した状態、つまり、扉体３の後面に取付けた係合体Ｅを洗浄槽２の前部に設けた係合部Ｆに係合させて、扉体３を洗浄槽２の前部に装着した状態においては、左方側係合体形成体１０Ｌ及び右方側係合体形成体１０Ｒが、洗浄槽２における左右の前方張出部２ｆの間に位置するものとなるが、図２及び図６に示すように、洗浄槽２における左右の前方張出部２ｆには、頭付ボルト１４を操作するためのボルト操作用孔１５が形成されているため、扉体３を洗浄槽２に装着した状態においても、頭付ボルト１４を操作しながら、洗浄槽２に対する扉体３の洗浄槽横幅方向での位置を調節できるようになっている。
【００５８】
次に、係合体Ｅにおける上方側の左右一対の係合作用部Ｅｕ及び下方側の左右一対の係合作用部Ｅｓ、並びに、係合部Ｆにおける上方側の左右一対の係合部分Ｆｕ及び下方側の左右一対の係合部分Ｆｓを説明する。
尚、上方側の左右一対の係合作用部Ｅｕは同様に構成され、下方側の左右一対の係合作用部Ｅｓも同様に構成されるものであるため、以下、右方側係合体形成体１０Ｒが備える上方側の右方の係合作用部Ｅｕ、及び、下方側の右方の係合作用部Ｅｓを代表として説明し、左方側係合体形成体１０Ｌが備える上方側の左方の係合作用部Ｅｕ、及び、下方側の左方の係合作用部Ｅｓについては、必要に応じて説明を加える。
【００５９】
また、上方側の左右一対の係合部分Ｆｕは同様に構成され、下方側の左右一対の係合部分Ｆｓも同様に構成されるものであるため、係合部Ｆについても、右方側係合体形成体１０Ｒが備える上方側の右方の係合作用部Ｅｕが係合する上方側の右方の係合部分Ｆｕ、及び、下方側の右方の係合作用部Ｅｓが係合する下方側の右方の係合部分Ｆｓを代表として説明し、上方側の左方の係合部分Ｆｕ及び下方側の左方の係合部分Ｆｓについては必要に応じて説明を加える。
【００６０】
図２、図１０及び図１５に示すように、上方側の右方の係合作用部Ｅｕを形成する右方側係合体形成体１０Ｌの上方板状部１０ｕには、上方側の右方の係合部分Ｆｕが備える前後位置調整用回転体１６に上方より係合する下向き開口状の係合孔１７、及び、固定用ボルト１８が挿通する４角状の挿通孔１９が形成されている。
【００６１】
上方側の右方の係合部分Ｆｕは、図３、図５及び図７に示すように、洗浄槽２の前部の上方箇所にビス止めされる横長状の固定受け金具２０の端部に装備されている。
すなわち、固定受け金具２０は、横長枠体状の本体部２０ａと、その本体部２０ａの両端部の前後方向に沿う姿勢の板状部２０ｂとから構成され、その板状部２０ｂに、前後位置調整用回転体１６が回転自在に支持され、また、固定用ボルト１８が螺合する連結孔２１が形成されている。
【００６２】
前後位置調整用回転体１６は、図１７に示すように、マイナスドライバーの先端が係合する係合溝２２を備えた円盤状の頭部１６Ａと、円柱状の軸部１６Ｂとを備えるものであり、軸部１６Ｂが、頭部１６Ａの中心に対して偏心する状態で、頭部１６Ａに対して接続されて、いわゆる偏心式のカム操作体として構成されている。
そして、前後位置調整用回転体１６の軸部１６Ｂが板状部２０ｂに回転自在に嵌合されており、前後位置調整用回転体１６の頭部１６Ａを回転操作することにより、右方側係合体形成体１０Ｌの上方板状部１０ｕを洗浄槽前後幅方向（扉体３の厚さ方向）に移動させることができるように構成されている。
【００６３】
したがって、上方側の右方の係合作用部Ｅｕは、上方側の右方の係合部分Ｆｕが備える前後位置調整用回転体１６に対して下向き開口状の係合孔１７が係合することにより、上方側の右方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の右方の係合部分Ｆｕに対する洗浄槽前後幅方向での位置が調節されることになる。
【００６４】
そして、上方側の左方の係合作用部Ｅｕも、上方側の右方の係合作用部Ｅｕと同様に、上方側の左方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の左方の係合部分Ｆｕに対する洗浄槽前後幅方向での位置が調節されることになる。
【００６５】
固定用ボルト１８は、右方側係合体形成体１０Ｒの上方板状部１０ｕの挿通孔１９を覆う大きさの頭部を備える又は挿通孔１９を覆う大きさの座金を介在させて装着されるものであって、固定受け金具２０の板状部２０ｂの連結孔２１に螺合させて締め付けることにより、右方側係合体形成体１０Ｒの上方板状部１０ｕを固定受け金具２０の板状部２０ｂに密着させた状態に固定するように構成されている。
【００６６】
図２、図１０及び図１６に示すように、下方側の右方の係合作用部Ｅｓを形成する右方側係合体形成体１０Ｒの下方板状部１０ｓには、下方側の右方の係合部分Ｆｓが備える前後位置調整用回転体２３に上方より係合する下向き開口状の係合孔２４、下方側の右方の係合部分Ｆｓが備える上下位置調整用回転体２５に対して上方から接当する接当部２６、及び、固定用ボルト２７が挿通する４角状の挿通孔２８が形成されている。
【００６７】
下方側の右方の係合部分Ｆｓは、図５及び図８に示すように、洗浄槽側レール部材６に装備した洗浄槽接続部材７の前端部に設けられている。
すなわち、洗浄槽接続部材７の前端部に、前後方向に沿う姿勢の板体２９が上方に向けて起立する状態で設けられ、その板体２９に、前後位置調整用回転体２３及び上下位置調整用回転体２５が回転自在に支持され、また、固定用ボルト２７が螺合する連結孔３０が形成されている。
【００６８】
前後位置調整用回転体２３及び上下位置調整用回転体２５は、上方側の係合部分Ｆｕが備える前後位置調整用回転体１６と同様に、いわゆる偏心式のカム操作体として構成されて、板体２９に回転自在に支持されている。
つまり、前後位置調整用回転体２３を回転操作することにより、右方側係合体形成体１０Ｒの下方板状部１０ｓを洗浄槽前後幅方向（扉体３の厚さ方向）に移動させることができ、また、上下位置調整用回転体２５を回転操作することにより、右方側係合体形成体１０Ｒを洗浄槽上下幅方向（扉体３の上下幅方向）に移動させることができるように構成されている。
【００６９】
したがって、下方側の右方の係合作用部Ｅｓは、下方側の右方の係合部分Ｆｓが備える前後位置調整用回転体２３に対して下向き開口状の係合孔２４が係合することにより、下方側の右方の係合部分Ｆｓに対する洗浄槽前後幅方向の移動が阻止され、かつ、洗浄槽上下幅方向の移動が許容されることになり、かつ、前後位置調整用回転体２３の回転操作により、下方側の右方の係合部分Ｆｓに対する洗浄槽前後幅方向での位置が調節されることになる。
【００７０】
そして、下方側の左方の係合作用部Ｅｓも、下方側の右方の係合作用部Ｅｓと同様に、下方側の左方の係合部分Ｆｓに対する洗浄槽前後幅方向の移動が阻止され、かつ、洗浄槽上下幅方向の移動が許容されることになり、かつ、前後位置調整用回転体２３の回転操作により、上方側の左方の係合部分Ｆｕに対する洗浄槽前後幅方向での位置が調節されることになる。
【００７１】
さらに、以上の説明から明らかな如く、上方側の右方の係合作用部Ｅｕ及び下方側の右方の係合作用部Ｅｓが、上下位置調整用回転体２５の回転操作により、上方側の右方の係合部分Ｆｕ及び下方側の右方の係合部分Ｆｓに対する洗浄槽上下幅方向での位置が変更調節されることになる。
同様に、上方側の左方の係合作用部Ｅｕ及び下方側の左方の係合作用部Ｅｓが、上下位置調整用回転体２５の回転操作により、上方側の左方の係合部分Ｆｕ及び下方側の左方の係合部分Ｆｓに対する洗浄槽上下幅方向での位置が変更調節されることになる。
【００７２】
固定用ボルト２７は、上方側の右方の係合部分Ｆｕの固定用ボルト１８と同様に、右方側係合体形成体１０Ｒの下方板状部１０ｓの挿通孔２８を覆う大きさの頭部を備える又は挿通孔２８を覆う大きさの座金を介在させて装着されるものであって、板体２９の連結孔３０に螺合させて締め付けることにより、右方側係合体形成体１０Ｒの下方板状部１０ｓを板体２９に密着させた状態に固定するように構成されている。
【００７３】
また、左方側係合体形成体１０Ｌの上方板状部１０ｕが、固定受け金具２０の板状部２０ｂの横外方側に位置し、かつ、右方側係合体形成体１０Ｒの上方板状部１０ｕが、固定受け金具２０の板状部２０ｂの横外方側に位置するように構成され、また、左方側係合体形成体１０Ｌの下方板状部１０ｓが、洗浄槽接続部材７に装備した板体２９の横外方側に位置し、かつ、右方側係合体形成体１０Ｒの下方板状部１０ｓが、洗浄槽接続部材７に装備した板体２９の横外方側に位置するように構成されることによって、扉体３が洗浄槽横幅方向に移動することが規制されている。
【００７４】
以上の通り、本実施形態においては、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されている。
【００７５】
そして、下方側の左方の係合部分Ｆｓに、左方側係合体形成体１０Ｌの洗浄槽上下幅方向での位置を調節すべく、下方側の左方の係合作用部Ｅｓを洗浄槽上下幅方向での位置を変更調節自在に受止め支持する左方側の受止め支持体として、上下位置調整用回転体２５が設けられることになる。
同様に、下方側の右方の係合部分Ｆｓに、右方側係合体形成体１０Ｒの洗浄槽上下幅方向での位置を調節すべく、下方側の右方の係合作用部Ｅｓを洗浄槽上下幅方向での位置を変更調節自在に受止め支持する右方側の受止め支持体として、上下位置調整用回転体２５が設けられることになる。
【００７６】
ちなみに、扉体３を洗浄槽２に装着するために、扉体３に取付けた係合体Ｅを洗浄槽２の前部に設けた係合部Ｆに係合させた状態においては、左方側係合体形成体１０Ｌ及び右方側係合体形成体１０Ｒが、洗浄槽２における左右の前方張出部２ｆの間に位置するものとなるが、図２、図１５及び図１６に示すように、洗浄槽２における右方側の前方張出部２ｆには、上方側操作用窓３１及び下方側操作用窓３２が形成されている。
【００７７】
そして、上方側操作用窓３１を通して、上方側の右方の係合作用部Ｅｕと上方側の右方の係合部分Ｆｕとの係合状態の確認や、上方側の右方の係合部分Ｆｕが備える前後位置調整用回転体１６の回転操作を行うことができ、加えて、固定用ボルト１８の装着作業を行えるように構成されている。
また、下方側操作用窓３２を通して、下方側の右方の係合作用部Ｅｓと下方側の右方の係合部分Ｆｓとの係合状態の確認や、下方側の右方の係合部分Ｆｓが備える前後位置調整用回転体２３及び上下位置調整用回転体２５の回転操作を行うことができ、加えて、固定用ボルト２７の装着作業を行えるように構成されている。
【００７８】
ちなみに、図示は省略するが、上方側操作用窓３１及び下方側操作用窓３２は、左方側の前方張出部２ｆにも形成されて、上方側の左方の係合作用部Ｅｕと上方側の左方の係合部分Ｆｕとの係合状態の確認や、下方側の左方の係合作用部Ｅｓと下方側の左方の係合部分Ｆｓとの係合状態の確認等の作業を行えるように構成されている。
【００７９】
以上の通り、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されて、洗浄槽２に対する扉体３の洗浄槽上下幅方向での位置を変更調整自在に構成されている。また、左方取付け機構ＪＬ及び右方取付け機構ＪＲの夫々が、左方側係合体形成体１０Ｌ及び右方側係合体形成体１０Ｒを、扉体３の後面に止着される支持金具１１に対して、扉体３の横幅方向（洗浄槽横幅方向）に沿って位置調節自在な状態で取付けるように構成されて、扉体３の洗浄槽横幅方向の位置を調節自在に構成されている。
従って、上方側左方連結部ＵＬ、上方側右方連結部ＵＲ、下方側左方連結部ＳＬ、及び、下方側右方連結部ＳＲ、並びに、左方取付け機構ＪＬ及び右方取付け機構ＪＲにより、扉体装着位置調整機構Ｐが構成されている。
【００８０】
（前カバー及び仮把手部の構成）
前カバーＭは合成樹脂製であり、図９に示すように、正面視形状が概略長方形状に構成されるものであって、図２にも示すように、その左右両端縁夫々の上部側に、後面側に突出する状態で、ネジ挿通孔を備えた後方突起部３９が設けられ、また、図６にも示すように、左右両端縁夫々における後方突起部３９の下方には、後面側に突出する状態で、板状の被せ部４０が各端縁に沿って設けられている。
さらに、図２０及び図２２に示すように、前カバーＭの後面部には、後方に突出する補強リブ４１が、前カバーＭにおける前カバー横幅方向の全幅にわたって直線状に伸びて、左右の後方突起部３９に架け渡された状態で設けられている。
そして、図２及び図９に示すように、前カバーＭは、その左右の後方突起部３９及び被せ部４０を洗浄槽２の左右の前方張出部２ｆに被せた状態で、その上部側における左右の後方突起部３９を介して、樹脂製の装着ネジ３３にて洗浄槽２に止着されている。
【００８１】
前カバーＭには、図９及び図２１に示すように、係合体Ｅにおける上方側の左右一対の係合作用部Ｅｕ及び下方側の左右一対の係合作用部Ｅｓを挿通させるために、上下方向に沿う４つのスリット状開口３４が形成されている。
また、前カバーＭには、図６にも示すように、左方側係合体形成体１０Ｌや右方側係合体形成体１０Ｒにおける支持金具１１との接続部分を挿通させる４つの窓状の挿通開口３５が形成されており、扉体３を洗浄槽２の前部に装着した状態において、前カバーＭを、扉体３と洗浄槽２の間に位置させることができるように構成されている。
【００８２】
本発明では、図１９及び図２０に示すように、洗浄槽２を出退移動するための仮把手部２０ｃ（図３及び図４参照）が、前カバーＭの後面側に位置させる状態で、洗浄槽２の前部に設けられ、図９、図１９及び図２０に示すように、前カバーＭに、その前カバーＭの前方側から手指を挿通して、仮把手部２０ｃに接触可能な仮把手部操作用開口３６（操作用開口に相当する）が設けられている。
【００８３】
図３、図７及び図１９に示すように、本実施形態では、仮把手部２０ｃは、洗浄槽２の前部の上方箇所に取り付けられる固定受け金具２０の洗浄槽横幅方向の中央部に、その固定受け金具２０と一体的に備えられている。
説明を加えると、図７及び図１９に示すように、仮把手部２０ｃは概略長方形の板状に構成され、その板状の仮把手部２０ｃが、長辺を洗浄槽横幅方向に沿わせ且つ短辺を洗浄槽前後幅方向に沿わせた姿勢で、固定受け金具２０の本体部２０ａの前面部における洗浄槽横幅方向の中央部に、洗浄槽前後幅方向の前方に突出する状態で備えられている。
更に、仮把手部２０ｃは、洗浄槽前後幅方向の前端部に、洗浄槽上下幅方向の下方に屈曲する下向き曲がり部２０ｄを備えた形状に構成されている。
【００８４】
つまり、食器洗浄機ＳがシステムキッチンＫに設置された状態では、板状の仮把手部２０ｃは、その板面が略水平方向に沿った姿勢で、洗浄槽横幅方向に伸びる状態で洗浄槽２の前部に備えられることになる。
【００８５】
つまり、固定受け金具２０は、洗浄槽２の前部における洗浄槽上下幅方向の上端側箇所に設けられるものであるので、本実施形態では、仮把手部２０ｃが、洗浄槽２の前部における洗浄槽上下幅方向の上端側の箇所に設けられていることになる。
また、仮把手部２０ｃが、洗浄槽前後幅方向に沿って伸び、且つ、その洗浄槽前後幅方向の前方側の前端部に、洗浄槽上下幅方向の下方に屈曲する下向き曲がり部２０ｄを備えた形状に構成されていることになる。
さらに、固定受け金具２０は、係合部Ｆにおける上方側の左右一対の係合部分Ｆｕを構成するものであるので、仮把手部２０ｃが、係合部Ｆを構成する部材である固定受け金具２０に一体的に備えられていることになる。
【００８６】
図１９及び図２０に示すように、仮把手部操作用開口３６は、前カバーＭを洗浄槽２の前部に装着したときに、仮把手部２０ｃに対して仮把手部操作用開口３６が洗浄槽上下幅方向のやや下方に位置する状態となるように、位置を定めて前カバーＭに形成されている。そのように位置を定めて仮把手部操作用開口３６が前カバーＭに形成されると、仮把手部操作用開口３６は、補強リブ４１の下方に位置する状態となる。
【００８７】
また、図９、図１９及び図２１に示すように、仮把手部操作用開口３６は、正面視で、概略長方形状に構成され、その概略長方形状の仮把手部操作用開口３６が、洗浄槽横幅方向に伸びる板状の仮把手部２０ｃに対応させて、長辺に対応する開口縁部を洗浄槽横幅方向に沿わせた配置形態で、前カバーＭに形成されている。
【００８８】
つまり、仮把手部操作用開口３６が、正面視で、洗浄槽上下幅方向の上下の開口縁部分が洗浄槽横幅方向に沿う概略四角形状にて、洗浄槽上下幅方向において、仮把手部２０ｃの下方に位置する状態で、前カバーＭに設けられていることになる。
【００８９】
また、図２０〜図２２に示すように、前カバーＭには、仮把手部操作用開口３６の開口縁における洗浄槽横幅方向の両側方夫々の開口縁部分から夫々後方に伸びる左側規制面５１ｓ、右側規制面５２ｓ、及び、仮把手部操作用開口３６の開口縁における洗浄槽上下幅方向の下方の開口縁部分から後方に伸びる下側規制面５３ｓを形成する規制面形成体５０が設けられている。
【００９０】
この規制面形成体５０は、左側規制面５１ｓを形成する左側壁部５１、右側規制面５２ｓを形成する右側壁部５２、及び、下側規制面５３ｓを形成する底壁部５３を、正面視でＵ字状になる状態に備えた形状に構成されている。
さらに、規制面形成体５０は、左側壁部５１の後端縁及び右側壁部５２の後端縁部夫々の下方側分の夫々と、底壁部５３の後端縁部とに連なる状態で、後壁部５４を備え、その後壁部５４により、左側規制面５１ｓの後端と右側規制面５２ｓの後端と下側規制面５３ｓの後端とに跨る後側規制面５４ｓが形成される。
つまり、規制面形成体５０が、左側規制面５1sの後端と右側規制面５２ｓの後端と下側規制面５３ｓの後端とに跨る後側規制面５４ｓを形成するように構成されていることになる。
【００９１】
そして、図２０及び図２２に示すように、上述の如く左側壁部５１、右側壁部５２及び底壁部５３をＵ字状に備えた形状に構成された規制面形成体５０が、左側壁部５１の上端縁部と右側壁部５２の上端縁部とを補強リブ４１の下面に連ねた状態で、前カバーＭに備えられている。
このように規制面形成体５０が前カバーＭに備えられた状態では、左側壁部５１の後端縁部、右側壁部５２の後端縁部、後壁部５４の上端縁部及び補強リブ４１の後端縁部により、後面視で、洗浄槽横幅方向に長い長方形状の仮把手部挿通開口５５が形成される。
【００９２】
図２０に示すように、前カバーＭが洗浄槽２の前部に装着された状態では、洗浄槽２の前部に取り付けられた仮把手部２０ｃが、前カバーＭの後面側から仮把手部挿通開口５５に挿通されて、その仮把手部２０ｃ前端部が前カバーＭの後面部における仮把手部操作用開口３６のやや上方に相当する箇所に近接する状態となる。
【００９３】
次に、洗浄機ＳをシステムキッチンＫに設置した後、洗浄槽２の前部に扉体３を装着しない状態で、洗浄槽２を出退移動操作するときの操作形態について、説明する。
作業者は、手のひらを上向きにした状態で、手先を前カバーＭの前方側から仮把手部操作用開口３６に挿通すると、指先を仮把手部２０ｃの下面に接触させて下向き曲がり部２９ｄに引っ掛けることができる。
そして、指先を仮把手部２０ｃの下向き曲がり部２９ｄに引っ掛けた状態で仮把手部２０ｃを手前に引っ張ることにより、洗浄槽２を引出し操作することができる。
また、洗浄槽２を押し込むときは、指先を仮把手部２０ｃの下面に接触させた状態で、仮把手部２０ｃを押すことにより、洗浄槽２を押し込み操作することができる。
【００９４】
作業者が手先を仮把手部操作用開口３６に挿通するときには、左側規制面５１ｓや右側規制面５２ｓや下側規制面５３ｓにより、指先が仮把手部操作用開口３６の開口縁部に引っ掛かるのが規制され、また、後側規制面５４ｓにより、指先が洗浄槽２の前部に装備された機器類に触れるのも規制される。
【００９５】
次に、扉体３を前カバーＭが装着された状態の洗浄槽２に装着する手順について説明を加える。
図２に示すように、扉体３を前カバーＭが装着された状態の洗浄槽２に装着するときは、前カバーＭが装着された状態の洗浄槽２の上端箇所に、扉体３の後面と接当するシール部材３７が装備される。このシール部材３７は、前カバー横幅方向の全長にわたる長さのテープ状に構成されている。
【００９６】
先ず、扉体３の後面に装着した係合体Ｅにおける上方側の左右一対の係合作用部Ｅｕ及び下方側の左右一対の係合作用部Ｅｓを、前カバーＭのスリット状開口３４を通して、前カバーＭの内部に挿入し、次に、上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させることになる（図１８参照）。
【００９７】
具体的には、左方側係合体形成体１０Ｌや右方側係合体形成体１０Ｒにおける上方板状部１０ｕの係合孔１７を、上方側の係合部分Ｆｕの前後位置調整用回転体１６に係合させる。
同様に、左方側係合体形成体１０Ｌや右方側係合体形成体１０Ｒにおける下方板状部１０ｓの係合孔２４を、下方側の係合部分Ｆｕの前後位置調整用回転体２３に係合させ、かつ、下方板状部１０ｓの接当部２６を下方側の係合部分Ｆｓの上下位置調整用回転体２５に接当する状態に載せ付ける。
【００９８】
次に、係合体Ｅにおける上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させた状態において、扉体３の洗浄槽上下幅方向での位置、扉体３の洗浄槽前後幅方向での位置、及び、扉体３の洗浄槽横幅方向での位置を調節することになり、加えて、扉体３の前後方向での傾きや左右方向での傾きを調節することになる。
【００９９】
具体的には、左右一対の下方側の係合部分Ｆｓに装備した上下位置調整用回転体２５を回転操作することにより、扉体３の洗浄槽上下幅方向での位置を調節する。
また、上方側の左右一対の係合部分Ｆｕに装備した前後位置調整用回転体１６及び下方側の左右一対の係合部分Ｆｓに装備した前後位置調整用回転体２３の回転操作により、扉体３の洗浄槽前後幅方向での位置を調節することになる。
この際、左右の前後位置調整用回転体１６及び左右の前後位置調整用回転体２３の回転操作により、扉体３の上方側の左右両側部分及び下方側の左右両側部分についての洗浄槽前後幅方向での位置を調節することにより、扉体３の前後方向での傾きや左右方向での傾きを調節することができる。
【０１００】
また、必要に応じて、頭付ボルト１４を操作しながら、左方側係合体形成体１０Ｌや右方側係合体形成体１０Ｒの扉体３に対する横幅方向での位置を調節することによって、扉体３の洗浄槽横幅方向での位置を調節することができる。
【０１０１】
そして、扉体３の洗浄槽２に対する位置調節が終了すると、上方側の左右一対の係合部分Ｆｕに対応する固定用ボルト１８及び下方側の左右一対の係合部分Ｆｓに対応する固定用ボルト２７を締結し、また、４つの頭付ボルト１４を締結する締結作業を行う。
【０１０２】
ちなみに、扉体３を洗浄槽２の前部に装着する作業を行う際には、装着ネジ３３を少し緩めて、前カバーＭを前後に揺動できる状態にしておき、上述した締結作業が終了した段階で、前カバーＭを扉体３後面に密着させるように揺動させ、その後、装着ネジ３３を締め付けて、前カバーＭを固定することになる。
【０１０３】
〔別実施形態〕
次に別実施形態を説明する。
（イ）  洗浄槽２の前部に対する仮把手部２０ｃの設置位置は、上記の実施形態において例示した洗浄槽上下幅方向の上端側の箇所に限定されるものではない。
また、仮把手部２０ｃの形状や洗浄槽２の前部に対する配置姿勢も、上記の実施形態において例示した形状や配置姿勢、即ち、長方形板状の形状とし、長方形板状の長辺を洗浄槽横幅方向に沿わせ且つ短辺を洗浄槽前後幅方向に沿わせた配置姿勢とする場合に限定されるものではない。
例えば、長方形板状の仮把手部２０ｃを、長辺を洗浄槽上下幅方向に沿わせ且つ短辺を洗浄槽前後幅方向に沿わせた配置姿勢で設けても良い。
また、前カバーＭに設ける仮把手部操作用開口３６の形状や配置姿勢は、仮把手部２０ｃの形状や洗浄槽２の前部に対する配置姿勢に応じて、設定することになる。
【０１０４】
（ロ）  上記実施形態のように、仮把手部２０ｃを洗浄槽２の前部における洗浄槽上下幅方向の上端側の箇所に設けると共に、仮把手部２０ｃの前端部に下向き曲がり部２０ｄを備える場合、上記の実施形態では、仮把手部操作用開口３６を、洗浄槽上下幅方向において、仮把手部２０ｃの下方に位置する状態で、前カバーＭに設けたが、仮把手部操作用開口３６を、仮把手部２０ｃをその仮把手部操作用開口３６内の上方側の部分に臨ませる状態で、前カバーＭに設けても良い。
【０１０５】
（ハ）  仮把手部操作用開口３６に規制面形成体５０を設けるに当たって、仮把手部操作用開口３６の開口縁において規制面を設ける開口縁部分は、仮把手部２０ｃの形状や仮把手部２０ｃに対する仮把手部操作用開口３６の配置位置等に応じて、設定することになる。
例えば、仮把手部操作用開口３６を、洗浄槽上下幅方向において、仮把手部２０ｃの上方に位置する状態で、又は、仮把手部２０ｃを仮把手部操作用開口３６内の下方側の部分に臨ませる状態で、前カバーＭに設ける場合は、仮把手部操作用開口３６の開口縁において、洗浄槽横幅方向の両側方夫々の開口縁部分、及び、洗浄槽上下幅方向の上方の開口縁部分の夫々から後方に伸びるように規制面を形成すべく、規制面形成体５０を構成することになる。
また、仮把手部２０ｃを前方に突出する棒状に構成し、また、仮把手部操作用開口３６を、仮把手部２０ｃをその仮把手部操作用開口３６内の中央に臨ませる状態で、前カバーＭに設ける場合、仮把手部操作用開口３６の開口縁の全周にわたって、開口縁から後方に伸びるように規制面を形成すべく、規制面形成体５０を構成することになる。
【符号の説明】
【０１０６】
１      本体ケーシング
２      洗浄槽
３      扉体
２０    固定受け金具（係合部を構成する部材）
２０ｃ  仮把手部
２０ｄ  下向き曲がり部
３６    仮把手部操作用開口（操作用開口）
５０    規制面形成体
５１ｓ  左側規制面
５２ｓ  右側規制面
５３ｓ  下側規制面
５４ｓ  後側規制面
Ａ      洗浄槽挿脱用開口
Ｅ      係合体
Ｆ      係合部
Ｍ      前カバー
【図１】
2014171676.tif 000003
【図２】
2014171676.tif 000004
【図３】
2014171676.tif 000005
【図４】
2014171676.tif 000006
【図５】
2014171676.tif 000007
【図６】
2014171676.tif 000008
【図７】
2014171676.tif 000009
【図８】
2014171676.tif 000010
【図９】
2014171676.tif 000011
【図１０】
2014171676.tif 000012
【図１１】
2014171676.tif 000013
【図１２】
2014171676.tif 000014
【図１３】
2014171676.tif 000015
【図１４】
2014171676.tif 000016
【図１５】
2014171676.tif 000017
【図１６】
2014171676.tif 000018
【図１７】
2014171676.tif 000019
【図１８】
2014171676.tif 000020
【図１９】
2014171676.tif 000021
【図２０】
2014171676.tif 000022
【図２１】
2014171676.tif 000023
【図２２】
2014171676.tif 000024
【図２３】
2014171676.tif 000025
【図２４】
2014171676.tif 000026